(57)【要約】      （修正有）【課題】板状導光部が均一に発光する車両用灯具を提供する。【解決手段】導光体３０と、導光体内を導光される光を発光する光源と、を備えた車両用灯具ユニットにおいて、導光体は、光源からの光を基端部から先端部に向けて導光する第１棒状導光部３３ａ及び第２棒状導光部３３ｂと、第１棒状導光部と第２棒状導光部との間に配置された板状導光部３４と、を含む。第１棒状導光部及び第２棒状導光部は、並列に配置されており、板状導光部は、第１棒状導光部の外周面に連結された一端縁部と、第２棒状導光部の外周面に連結された他端縁部と、を含む。板状導光部の一端縁部及び他端縁部は、一端縁部及び他端縁部以外の板状導光部より肉厚が薄い薄肉部を含む。【選択図】図５
2020155389.tif 000002
【特許請求の範囲】
【請求項１】
導光体と、前記導光体内を導光される光を発光する光源と、を備えた車両用灯具ユニットにおいて、
前記導光体は、前記光源からの光を基端部から先端部に向けて導光する第１棒状導光部と、前記光源からの光を基端部から先端部に向けて導光する第２棒状導光部と、前記第１棒状導光部と前記第２棒状導光部との間に配置された板状導光部と、を含み、
前記第１棒状導光部及び第２棒状導光部は、並列に配置されており、
前記板状導光部は、正面側に配置される前面とその反対側の背面側に配置される後面とを含む板状の導光部で、前記第１棒状導光部の外周面に連結された一端縁部と、前記第２棒状導光部の外周面に連結された他端縁部と、を含み、
前記板状導光部の後面は、前記第１棒状導光部及び前記第２棒状導光部それぞれから前記板状導光部に入光する前記光源からの光を拡散させて前記板状導光部の前面から出射させるための複数の構造物を含み、
前記板状導光部の前記一端縁部及び前記他端縁部は、前記一端縁部及び前記他端縁部以外の前記板状導光部より肉厚が薄い薄肉部を含む車両用灯具ユニット。
【請求項２】
前記構造物は、ドット状のレンズカットである請求項１に記載の車両用灯具ユニット。
【請求項３】
前記構造物は、ランダムに配置されている請求項２に記載の車両用灯具ユニット。
【請求項４】
前記板状導光部は、円筒状レンズ体である請求項１から３のいずれか１項に記載の車両用灯具ユニット。
【請求項５】
前記板状導光部は、平板状レンズ体である請求項１から３のいずれか１項に記載の車両用灯具ユニット。
【請求項６】
前記第１棒状導光部及び前記第２棒状導光部は、対称の形状である請求項１から５のいずれか１項に記載の車両用灯具ユニット。
【請求項７】
前記第１棒状導光部及び前記第２棒状導光部は、非対称の形状である請求項１から５のいずれか１項に記載の車両用灯具ユニット。
【請求項８】
前記第１棒状導光部及び前記第２棒状導光部の少なくとも一方は、前記第１棒状導光部から前記板状導光部に入光する光の光路と前記第２棒状導光部から前記板状導光部に入光する光の光路が対称となるように前記第１棒状導光部及び前記第２棒状導光部の少なくとも一方から前記板状導光部に入光する光の光路を補正する補正カットを含む請求項７に記載の車両用灯具ユニット。
【請求項９】
前記導光体は、前記板状導光部が車両正面から視認されるように、上面視で車両前後方向に延びる基準軸に対して所定角度傾斜した状態で配置されている請求項１から８のいずれか１項に記載の車両用灯具ユニット。
【請求項１０】
前記板状導光部を透して視認される黒色又は黒系の色の部材をさらに備える請求項１から９のいずれか１項に記載の車両用灯具ユニット。
【請求項１１】
請求項１から１０のいずれか１項に記載の車両用灯具ユニットと、
他の車両用灯具ユニットと、を備え、
前記車両用灯具ユニットは、前記導光体の裏面と前記他の車両用灯具ユニットの側面とが対向した状態で配置されている車両用灯具。
【請求項１２】
前記他の車両用灯具ユニットは、ヘッドランプ用灯具ユニットである請求項１１に記載の車両用灯具。
【発明の詳細な説明】
【技術分野】
【０００１】
本発明は、車両用灯具ユニット及び車両用灯具に関し、特に、板状導光部が均一に発光する（均一に発光しているように視認される）車両用灯具ユニット及び車両用灯具に関する。
【背景技術】
【０００２】
図３０は、棒状導光部と板状導光部とを含む従来の導光体の正面図である。
【０００３】
従来、図３０に示すように、間隔をあけて並列に配置された２つの棒状導光部１１０Ａ、１１０Ｂと、当該２つの棒状導光部１１０Ａ、１１０Ｂの互いに対向する側面（外周面）同士を連結する板状導光部１２０と、を含む導光体１００を備えた車両用灯具が提案されている（例えば、特許文献１（図１、図２等）参照）。
【０００４】
この特許文献１に記載の車両用灯具においては、各々の棒状導光部１１０Ａ、１１０Ｂの一端部１１１Ａ、１１１Ｂから各々の棒状導光部１１０Ａ、１１０Ｂに入光した光源（図示せず）からの光が各々の棒状導光部１１０Ａ、１１０Ｂ内を各々の他端部１１３Ａ、１１３Ｂに向けて導光され、板状導光部１２０の前面１２１から出射する。これにより、板状導光部１２０が発光する。
【先行技術文献】
【特許文献】
【０００５】
【特許文献１】特開２０１４−１１６１４２号公報
【発明の概要】
【発明が解決しようとする課題】
【０００６】
しかしながら、本発明者らが検討したところ、特許文献１に記載の車両用灯具においては、棒状導光部１１０Ａ、１１０Ｂから板状導光部１２０に入光する光の量（光量又は強度）が当該棒状導光部１１０Ａ、１１０Ｂの一端部１１１Ａ、１１１Ｂ側で比較的多く、他端部１１３Ａ、１１３Ｂ側で比較的少なくなるため、つまり、棒状導光部１１０Ａ、１１０Ｂから板状導光部１２０に入光する光の量が当該棒状導光部１１０Ａ、１１０Ｂの一端部１１１Ａ、１１１Ｂ側と他端部１１３Ａ、１１３Ｂ側との間で不均一となるため、板状導光部１２０が均一に発光しない（均一に発光しているように視認されない）ことが判明した。
【０００７】
本発明は、上記事情に鑑みてなされたものであり、板状導光部が均一に発光する（均一に発光しているように視認される）車両用灯具を提供することを目的とする。
【課題を解決するための手段】
【０００８】
上記目的を達成するために、本発明の一つの側面は、導光体と、前記導光体内を導光される光を発光する光源と、を備えた車両用灯具ユニットにおいて、前記導光体は、前記光源からの光を基端部から先端部に向けて導光する第１棒状導光部と、前記光源からの光を基端部から先端部に向けて導光する第２棒状導光部と、前記第１棒状導光部と前記第２棒状導光部との間に配置された板状導光部と、を含み、前記第１棒状導光部及び第２棒状導光部は、並列に配置されており、前記板状導光部は、正面側に配置される前面とその反対側の背面側に配置される後面とを含む板状の導光部で、前記第１棒状導光部の外周面に連結された一端縁部と、前記第２棒状導光部の外周面に連結された他端縁部と、を含み、前記板状導光部の後面は、前記第１棒状導光部及び前記第２棒状導光部それぞれから前記板状導光部に入光する前記光源からの光を拡散させて前記板状導光部の前面から出射させるための複数の構造物を含み、前記板状導光部の前記一端縁部及び前記他端縁部は、前記一端縁部及び前記他端縁部以外の前記板状導光部より肉厚が薄い薄肉部を含むことを特徴とする。
【０００９】
この側面によれば、板状導光部が均一に発光する（均一に発光しているように視認される）車両用灯具ユニットを提供することができる。
【００１０】
これは、板状導光部の一端縁部及び他端縁部が、一端縁部及び他端縁部以外の板状導光部より肉厚が薄い薄肉部を含むことによるものである。
【００１１】
この薄肉部を設ける範囲及び当該薄肉部の肉厚を調整することで、板状導光部が均一に発光する（均一に発光しているように視認される）ようにすることができる。
【００１２】
また、上記発明において、好ましい態様は、前記構造物は、ドット状のレンズカットであることを特徴とする。
【００１３】
この側面によれば、構造物としてＶ溝ではなくドットカットを用いているため、第１棒状導光部及び第２棒状導光部から板状導光部に入光する様々な方向からの光を拡散させて板状導光部の前面から出射させることができる。
【００１４】
また、上記発明において、好ましい態様は、前記構造物は、ランダムに配置されていることを特徴とする。
【００１５】
この側面によれば、構造物がランダムに配置されているため、光源の非点灯時に板状導光部を透してモアレが視認されるのを抑制することができる。
【００１６】
また、上記発明において、好ましい態様は、前記板状導光部は、円筒状レンズ体であることを特徴とする。
【００１７】
この側面によれば、板状導光部として円筒状レンズ体を用いることで、円筒状レンズ体である板状導光部が均一に発光する（均一に発光しているように視認される）車両用灯具ユニットを提供することができる。
【００１８】
また、上記発明において、好ましい態様は、前記板状導光部は、平板状レンズ体であることを特徴とする。
【００１９】
この側面によれば、板状導光部として平板状レンズ体を用いることで、平板状レンズ体である板状導光部が均一に発光する（均一に発光しているように視認される）車両用灯具ユニットを提供することができる。
【００２０】
また、上記発明において、好ましい態様は、前記第１棒状導光部及び前記第２棒状導光部は、対称の形状であることを特徴とする。
【００２１】
この態様によれば、第１棒状導光部及び前記第２棒状導光部が対称の形状の車両用灯具ユニットを提供することができる。
【００２２】
また、上記発明において、好ましい態様は、前記第１棒状導光部及び前記第２棒状導光部は、非対称の形状であることを特徴とする。
【００２３】
この態様によれば、第１棒状導光部及び前記第２棒状導光部が非対称の形状の車両用灯具ユニットを提供することができる。
【００２４】
また、上記発明において、好ましい態様は、前記第１棒状導光部及び前記第２棒状導光部の少なくとも一方は、前記第１棒状導光部から前記板状導光部に入光する光の光路と前記第２棒状導光部から前記板状導光部に入光する光の光路が対称となるように前記第１棒状導光部及び前記第２棒状導光部の少なくとも一方から前記板状導光部に入光する光の光路を補正する補正カットを含むことを特徴とする。
【００２５】
この側面によれば、第１棒状導光部及び前記第２棒状導光部が非対称の形状であっても、補正カットを設けることで、第１棒状導光部から板状導光部に入光する光の光路と第２棒状導光部から板状導光部に入光する光の光路とを対称とすることができる。その結果、板状導光部の中間（例えば上下方向の中間）に暗部（ダーク部）が発生するのを抑制することができる。
【００２６】
また、上記発明において、好ましい態様は、前記導光体は、前記板状導光部が車両正面から視認されるように、上面視で車両前後方向に延びる基準軸に対して所定角度傾斜した状態で配置されていることを特徴とする。
【００２７】
この態様によれば、上面視で車両前後方向に延びる基準軸に対して所定角度傾斜した状態で導光体が配置されているため、車両正面からの視認性が向上する。
【００２８】
また、上記発明において、好ましい態様は、前記板状導光部を透して視認される黒色又は黒系の色の部材をさらに備えることを特徴とする。
【００２９】
この態様によれば、光源の点灯時と非点灯時の明暗比が高い新規見栄えの車両用灯具ユニットを実現することができる。
【００３０】
これは、光源の点灯時に均一に発光する板状導光部が視認され、一方、光源の非点灯時に板状導光部を透して黒色又は黒系の色の部材が視認されることによるものである。
【００３１】
本発明の別の側面は、請求項１から１０のいずれか１項に記載の車両用灯具ユニットと、他の車両用灯具ユニットと、を備え、前記車両用灯具ユニットは、前記導光体の裏面と前記他の車両用灯具ユニットの側面とが対向した状態で配置されていることを特徴とする。
【００３２】
この側面によれば、他の車両用灯具ユニットの側面がエクステンションとしての機能に加えてランプ（例えば、ポジションランプ）としての機能を兼ねる車両用灯具ユニットで覆われた新規見栄えの車両用灯具を実現することができる。
【００３３】
また、上記発明において、好ましい態様は、前記他の車両用灯具ユニットは、ヘッドランプ用灯具ユニットであることを特徴とする。
【００３４】
この側面によれば、ヘッドランプ用灯具ユニットの側面がエクステンションとしての機能に加えてランプ（例えば、ポジションランプ）としての機能を兼ねる車両用灯具ユニットで覆われた新規見栄えの車両用灯具を実現することができる。
【図面の簡単な説明】
【００３５】
【図１】車両用灯具ユニット１０の斜視図である。
【図２】車両用灯具ユニット１０の上面図である。
【図３】車両用灯具ユニット１０が搭載された車両Ｖの正面図である。
【図４】車両用灯具ユニット１０の分解斜視図である。
【図５】導光体３０の側面図である。
【図６】導光体３０の裏面図である。
【図７】導光体３０の正面図である。
【図８】図５に示す導光体３０のＡ−Ａ断面図である。
【図９】（ａ）図５に示す導光体３０のＢ−Ｂ断面図、（ｂ）図５に示す導光体３０のＣ−Ｃ断面図である。
【図１０】図５に示す導光体３０のＤ−Ｄ断面図である。
【図１１】図５に示す導光体３０のＥ−Ｅ断面図である。
【図１２】第１棒状導光部３３ａ及び第２棒状導光部３３ｂから板状導光部３４に入光する光の光路を表す図である。
【図１３】構造物ＬＣ２（ドットカットＬＣ２）の断面図である。
【図１４】図６からドットカットＬＣ２を抜き出して拡大した拡大図である。
【図１５】ドットカットＬＣ２の配置の他の一例である。
【図１６】（ａ）図１０に示す第１棒状導光部３３ａ付近の拡大図、（ｂ）図１０に示す第２棒状導光部３３ｂ付近の拡大図である。
【図１７】導光体３０Ａの側面図である。
【図１８】導光体３０Ａの裏面図である。
【図１９】導光体３０Ａの正面図である。
【図２０】図１７に示す導光体３０ＡのＡ−Ａ断面図である。
【図２１】図１７に示す導光体３０ＡのＢ−Ｂ断面図である。
【図２２】図１７に示す導光体３０ＡのＣ−Ｃ断面図である。
【図２３】図１７に示す導光体３０ＡのＤ−Ｄ断面図である。
【図２４】第１棒状導光部３３Ａａ及び第２棒状導光部３３Ａｂから板状導光部３４Ａに入光する光の光路を表す図である。
【図２５】図５に示す導光体３０（第１ネック部ＮＰ１）のＦ−Ｆ断面図である。
【図２６】（ａ）図２５に示す導光体３０のＧ−Ｇ断面図、（ｂ）図２５に示す導光体
【図２７】第１ネック部ＮＰ１の変形例を表す図である。
【図２８】第１ネック部ＮＰ１の変形例を表す図である。
【図２９】板状導光部３４の一端縁部ＥＧ１に形成される第１溝部ＧＶ１の他の例である。
【図３０】棒状導光部と板状導光部とを含む従来の導光体の正面図である。
【発明を実施するための形態】
【００３６】
以下、本発明の実施形態である車両用灯具ユニット１０について添付図面を参照しながら説明する。各図において対応する構成要素には同一の符号が付され、重複する説明は省略される。
【００３７】
図１は車両用灯具ユニット１０の斜視図、図２は上面図、図３は車両用灯具ユニット１０が搭載された車両Ｖの正面図である。
【００３８】
図１、図２に示す車両用灯具ユニット１０は、ポジションランプとして機能する車両用信号灯具であり、図３に示すように、自動車等の車両Ｖの前端部の左右両側にそれぞれロービーム用灯具ユニット６２の側面を覆った状態で搭載される側面発光型の車両用灯具ユニットである。車両Ｖの前端部には、車両用灯具ユニット１０の他、アウターレンズの天面部６０、ヘッドランプ用灯具ユニット（ハイビーム用灯具ユニット６１、ロービーム用灯具ユニット６２）、ＤＲＬランプ６３（又はターンランプ）も搭載される。
【００３９】
左右両側に搭載される車両用灯具ユニット１０は左右対称の構成であるため、以下、代表して、車両Ｖの前端部の右側（車両前方に向かって右側）に搭載される車両用灯具ユニット１０について説明する。以下、説明の便宜のため、ＸＹＺ軸を定義する。Ｘ軸は車両前後方向に延びており、Ｙ軸は車幅方向に延びており、Ｚ軸は鉛直方向に延びている。
【００４０】
図４は、車両用灯具ユニット１０の分解斜視図である。
【００４１】
図４に示すように、車両用灯具ユニット１０は、第１光源２１ａ及び第２光源２１ｂが実装された基板２０と、導光体３０（インナーレンズ）と、ブラケット４０と、第１エクステンション５０と、第２エクステンション５２と、を備える。車両用灯具ユニット１０は、図示しないが、アウターレンズとハウジングとによって構成される灯室内に配置され、ハウジング等に固定される。
【００４２】
図５は導光体３０の側面図、図６は裏面図、図７は正面図である。図８は図５に示す導光体３０のＡ−Ａ断面図である。図９（ａ）は図５に示す導光体３０のＢ−Ｂ断面図、図９（ｂ）は図５に示す導光体３０のＣ−Ｃ断面図である。
【００４３】
図５〜図９に示すように、導光体３０は、第１入光部３１ａと、第２入光部３１ｂと、第１反射面３２ａと、第２反射面３２ｂと、第１棒状導光部３３ａと、第２棒状導光部３３ｂと、板状導光部３４と、を含む。導光体３０の材料は、例えば、アクリルやポリカーボネイト等の透明樹脂である。
【００４４】
まず、第１入光部３１ａ及び第２入光部３１ｂについて説明する。
【００４５】
図９（ａ）に示すように、第１入光部３１ａは、当該第１入光部３１ａから導光体３０に入光する第１光源２１ａからの光Ｒａｙ１をコリメートする入光部で、第１棒状導光部３３ａの後端部ＢＥ３３ａ近傍の導光体３０の表面ＦＳ３０に配置される（図５参照）。第１入光部３１ａは、第１光源２１ａからの光Ｒａｙ１をコリメートできればよく、どのような構成であってもよい。第１入光部３１ａの光軸ＡＸ３１ａは、導光体３０の表面ＦＳ３０に概ね直交する方向に延びている（図９（ａ）参照）。
【００４６】
図９（ｂ）に示すように、第２入光部３１ｂは、当該第２入光部３１ｂから導光体３０に入光する第２光源２１ｂからの光Ｒａｙ２をコリメートする入光部で、第２棒状導光部３３ｂの後端部ＢＥ３３ｂ近傍の導光体３０の表面ＦＳ３０に配置される（図５参照）。第２入光部３１ｂは、第２光源２１ｂからの光Ｒａｙ２をコリメートできればよく、どのような構成であってもよい。第２入光部３１ｂの光軸ＡＸ３１ｂは、導光体３０の表面ＦＳ３０に概ね直交する方向に延びている（図９（ｂ）参照）。
【００４７】
次に、第１光源２１ａ及び第２光源２１ｂについて説明する。
【００４８】
図４、図９に示すように、第１光源２１ａ及び第２光源２１ｂは、基板２０に実装される。第１光源２１ａ及び第２光源２１ｂは、それぞれ、白色光を発光するＬＥＤ等の半導体発光素子である。第１光源２１ａ及び第２光源２１ｂは、それぞれ、発光面ＥＦ２１ａ及び発光面ＥＦ２１ｂ（例えば、１ｍｍ角の矩形の発光面）を備える。
【００４９】
基板２０は、例えば、アルミ等の金属製基板で、第１光源２１ａ及び第２光源２１ｂがそれぞれ第１入光部３１ａ及び第２入光部３１ｂに対して対向した状態で（図９参照）、ネジ止めにより導光体３０に固定される。
【００５０】
図９（ａ）に示すように、第１光源２１ａの光軸ＡＸ２１ａは、第１入光部３１ａの光軸ＡＸ３１ａと一致している。第１入光部３１ａの光軸ＡＸ３１ａは、発光面ＥＦ２１ａの中心を通り、かつ、発光面ＥＦ２１ａに直交する方向に延びている。第１光源２１ａは、第１入光部３１ａから導光体３０に入光し、第１反射面３２ａで内面反射され、第１棒状導光部３３ａ内を当該第１棒状導光部３３ａの前端部ＦＥ３３ａに向けて進行する光Ｒａｙ１を発光する。
【００５１】
図９（ｂ）に示すように、第２光源２１ｂの光軸ＡＸ２１ｂは、第２入光部３１ｂの光軸ＡＸ３１ｂと一致している。第２入光部３１ｂの光軸ＡＸ３１ｂは、発光面ＥＦ２１ｂの中心を通り、かつ、発光面ＥＦ２１ｂに直交する方向に延びている。第２光源２１ｂは、第２入光部３１ｂから導光体３０に入光し、第２反射面３２ｂで内面反射され、第２棒状導光部３３ｂ内を当該第２棒状導光部３３ｂの前端部ＦＥ３３ｂに向けて進行する光Ｒａｙ２を発光する。
【００５２】
次に、第１反射面３２ａ及び第２反射面３２ｂについて説明する。
【００５３】
図９（ａ）に示すように、第１反射面３２ａは、平面反射面で、第１入光部３１ａでコリメートされた第１光源２１ａからの光Ｒａｙ１の光路上に配置される。具体的には、第１反射面３２ａは、当該第１反射面３２ａで内面反射された光Ｒａｙ１が第１棒状導光部３３ａの後端部ＢＥ３３ａから当該第１棒状導光部３３ａに入光しその前端部ＦＥ３３ａに向けて進行するように、第１入光部３１ａの光軸ＡＸ３１ａに対して４５度傾斜した姿勢で配置される。
【００５４】
図９（ｂ）に示すように、第２反射面３２ｂは、平面反射面で、第２入光部３１ｂでコリメートされた第２光源２１ｂからの光Ｒａｙ２の光路上に配置される。具体的には、第２反射面３２ｂは、当該第２反射面３２ｂで内面反射された光Ｒａｙ２が第２棒状導光部３３ｂの後端部ＢＥ３３ｂから当該第２棒状導光部３３ｂに入光しその前端部ＦＥ３３ｂに向けて進行するように、第２入光部３１ｂの光軸ＡＸ３１ｂに対して４５度傾斜した姿勢で配置される。
【００５５】
次に、第１棒状導光部３３ａ及び第２棒状導光部３３ｂについて説明する。
【００５６】
図５に示すように、第１棒状導光部３３ａ及び第２棒状導光部３３ｂは、並列に配置されている。
【００５７】
第１棒状導光部３３ａは、後端部ＢＥ３３ａ（本発明の基端部に相当）から前端部ＦＥ３３ａ（本発明の先端部に相当）に向かって直線状に延びた棒状の導光部である。第１棒状導光部３３ａは、第１反射面３２ａで内面反射された第１光源２１ａからの光Ｒａｙ１を後端部ＢＥ３３ａから前端部ＦＥ３３ｂに向けて導光する。
【００５８】
第２棒状導光部３３ｂは、後端部ＢＥ３３ｂ（本発明の基端部に相当）から前端部ＦＥ３３ｂ（本発明の先端部に相当）に向かって第１湾曲部ＣＲ１及び第２湾曲部ＣＲ２を介して延びた棒状の導光部である。第２棒状導光部３３ｂは、第２反射面３２ｂで内面反射された第２光源２１ｂからの光Ｒａｙ２を後端部ＢＥ３３ｂから前端部ＦＥ３３ｂに向けて導光する。
【００５９】
図１０は図５に示す導光体３０のＤ−Ｄ断面図、図１１はＥ−Ｅ断面図である。
【００６０】
図１０、図１１に示すように、第１棒状導光部３３ａ及び第２棒状導光部３３ｂの断面は、それぞれ、概ね円形である。第１棒状導光部３３ａの肉厚Ｔ１（直径）は、例えば、５ｍｍである。第２棒状導光部３３ｂの肉厚Ｔ２（直径）は、例えば、５ｍｍである。
【００６１】
図１２は、第１棒状導光部３３ａ及び第２棒状導光部３３ｂから板状導光部３４に入光する光の光路を表す図である。
【００６２】
図１２に示すように、板状導光部３４には、第１棒状導光部３３ａ内を導光される第１光源２１ａからの光Ｒａｙ１が入光する（図１２中の斜め下向きの各矢印参照）。なお、図示しないが、板状導光部３４には、第１棒状導光部３３ａから斜め下向きの各矢印で示す光以外の様々な方向の光も入光する。
【００６３】
また、板状導光部３４には、第２棒状導光部３３ｂ内を導光される第２光源２１ｂからの光Ｒａｙ２が入光する（図１２中の斜め上向きの各矢印参照）。なお、図示しないが、板状導光部３４には、第２棒状導光部３３ｂから斜め上向きの各矢印で示す光以外の様々な方向の光も入光する。
【００６４】
図６に示すように、第２棒状導光部３３ｂは、補正カットＬＣ１を含む。
【００６５】
補正カットＬＣ１は、第２棒状導光部３３ｂの下部にＶ溝を形成することで形成されるカット面である。図６中、Ｖ溝は、紙面に直交する方向に延びている。補正カットＬＣ１は、図６中の範囲Ａ２、Ａ３に複数設けられる。
【００６６】
補正カットＬＣ１を設ける技術的意義は次のとおりである。
【００６７】
すなわち、第１棒状導光部３３ａと第２棒状導光部３３ｂとは上下非対称の形状であるため（図５参照）、補正カットＬＣ１を設けない場合、第１棒状導光部３３ａから板状導光部３４に入光する光の光路（図１２中の斜め下向きの各矢印参照）と第２棒状導光部３３ｂから板状導光部３４に入光する光の光路とが上下非対称となる。その結果、板状導光部３４の上下方向の中間（例えば、図１２中の楕円で囲った範囲Ａ１２）に暗部（ダーク部）が発生する。
【００６８】
補正カットＬＣ１は、第１棒状導光部３３ａから板状導光部３４に入光する光の光路（図１２中の斜め下向きの各矢印参照）に対して上下対称となるように第２棒状導光部３３ｂから板状導光部３４に入光する光の光路を補正するために設けられる。
【００６９】
第１棒状導光部３３ａ及び第２棒状導光部３３ｂが非対称の形状であっても、補正カットＬＣ１を設けることで、図１２に示すように、第１棒状導光部３３ａから板状導光部３４に入光する光の光路（図１２中の斜め下向きの各矢印参照）と第２棒状導光部３３ｂから板状導光部３４に入光する光の光路（図１２中の斜め上向きの各矢印参照）とを上下対称とすることができる。その結果、板状導光部３４の上下方向の中間（例えば、図１２中の楕円で囲った範囲Ａ１２）に暗部（ダーク部）が発生するのを抑制することができる。
【００７０】
補正カットＬＣ１を設ける範囲及びＶ溝の角度は、第１棒状導光部３３ａから板状導光部３４に入光する光の光路（図１２中の斜め下向きの各矢印参照）と第２棒状導光部３３ｂから板状導光部３４に入光する光の光路（図１２中の斜め上向きの各矢印参照）とが上下対称となるように調整される。この調整は、例えば、所定のシミュレーションソフトウエアを用いて行うことができる。なお、補正カットＬＣ１は、第１棒状導光部３３ａに設けてもよいし、第１棒状導光部３３ａ及び第２棒状導光部３３ｂの両方に設けてもよい。
【００７１】
次に、板状導光部３４について説明する。
【００７２】
図５に示すように、板状導光部３４は、第１棒状導光部３３ａと第２棒状導光部３３ｂとの間に配置されている。
【００７３】
板状導光部３４は、後端部ＢＥ３４から前端部ＦＥ３４に向かって延びた円筒状レンズ体である（図７、図１０、図１１参照）。但し、板状導光部３４は、完全な円筒ではなく、円筒のうち一部がカットされた半円筒状レンズ体である。
【００７４】
板状導光部３４は、正面側に配置される表面ＦＳ３４と、その反対側の背面側に配置される裏面ＲＳ３４と、を含む。
【００７５】
板状導光部３４の表面ＦＳ３４には、シボＥが施されている。シボＥは、複数の微小凹凸で、図５中のハッチング範囲Ａ４に施されている。シボＥは、主に板状導光部３４が均一に発光しているように視認させる目的で設けられる。
【００７６】
板状導光部３４の裏面ＲＳ３４は、第１棒状導光部３３ａ及び第２棒状導光部３３ｂそれぞれから板状導光部３４に入光する第１光源２１ａ及び第２光源２１ｂからの光（及び補正カットＬＣ１からの光）を拡散させて板状導光部３４の表面ＦＳ３４から出射させるための複数の構造物ＬＣ２を含む。構造物ＬＣ２は、図６中のハッチング範囲Ａ５に施されている。
【００７７】
図１３は、構造物ＬＣ２（ドットカットＬＣ２）の断面図である。
【００７８】
図１３に示すように、構造物ＬＣ２は、ドット状のレンズカットである。以下、構造物ＬＣ２のことをドットカットＬＣ２という。ドットカットＬＣ２は、例えば、半径Ｒの球状のカット面である。半径Ｒは、例えば、０．２ｍｍである。なお、ドットカットＬＣ２は、円錐又は円錐状、Ｎ角錐又はＮ角錐状（Ｎは３以上の整数）のカット面であってもよい。
【００７９】
図１４は、図６からドットカットＬＣ２を抜き出して拡大した拡大図で、ドットカットＬＣ２の配置の一例を表す。
【００８０】
図１４に示すように、ドットカットＬＣ２は、横方向（横一列）にピッチｐ１で複数配置される。ピッチｐ１は例えば０．６ｍｍである。以下、この横方向に配置された複数のドットカットＬＣ２のことをドットカットＬＣ２群という。
【００８１】
ドットカットＬＣ２群は、縦方向にピッチｐ２で複数配置される。ピッチｐ２は例えば０．８ｍｍである。その際、各々のドットカットＬＣ２群は、縦方向に延びる直線Ｌ１に対してずれた状態で並ぶように配置される。
【００８２】
図１５は、ドットカットＬＣ２の配置の他の一例である。
【００８３】
図１５に示すように、ドットカットＬＣ２は、縦方向（縦一列）にピッチｐ２で複数配置し、この縦方向に配置された複数のドットカットＬＣ２（ドットカットＬＣ２群）を横方向にピッチｐ１で複数配置してもよい。その際、各々のドットカットＬＣ２群は、横方向に延びる直線Ｌ２に対してずれた状態で並ぶように配置される。
【００８４】
以上のように各々のドットカットＬＣ２をランダムに配置することで（図１４、図１５参照）、第１光源２１ａ及び第２光源２１ｂの非点灯時に板状導光部３４を透してモアレが視認されるのを抑制することができる。
【００８５】
板状導光部３４の曲率半径（曲率）は、後端部ＢＥ３４側と前端部ＦＥ３４側とで異なる。
【００８６】
具体的には、意匠性を高める観点から、板状導光部３４の前端部ＦＥ３４側の曲率半径（図１１参照）は、板状導光部３４の後端部ＢＥ３４側の曲率半径（図１０参照）より小さく設定されている。そして、板状導光部３４の曲率半径は、後端部ＢＥ３４側から前端部ＦＥ３４側に向かうに従って徐々に小さくなるように設定されている。
【００８７】
板状導光部３４の肉厚Ｔ３（基本肉厚。図１０及び図１１参照）は、例えば、３．５ｍｍである。
【００８８】
図５に示すように、板状導光部３４は、第１棒状導光部３３ａの外周面に連結された一端縁部ＥＧ１と、第２棒状導光部３３ｂの外周面に連結された他端縁部ＥＧ２と、を含む。
【００８９】
板状導光部３４の一端縁部ＥＧ１は、第１肉厚徐変部ＮＰ１を含む。第１肉厚徐変部ＮＰ１は、板状導光部３４の一端縁部ＥＧ１以外の板状導光部３４（肉厚Ｔ３）より肉厚が薄い部分のことである。以下、第１肉厚徐変部ＮＰ１のことを、第１ネック部ＮＰ１という。同様に、板状導光部３４の他端縁部ＥＧ２は、第２肉厚徐変部ＮＰ２を含む。第２肉厚徐変部ＮＰ２は、板状導光部３４の他端縁部ＥＧ２以外の板状導光部３４（肉厚Ｔ３）より肉厚が薄い部分のことである。以下、第２肉厚徐変部ＮＰ２のことを、第２ネック部ＮＰ２という。
【００９０】
図１０に示すように、第１ネック部ＮＰ１は、板状導光部３４の一端縁部ＥＧ１の表面ＦＳ３４に第１溝部ＧＶ１を形成することで形成される肉薄部で、第１棒状導光部３３ａから板状導光部３４に入光する光の量（光量又は強度）を調整するために設けられる。第１ネック部ＮＰ１（及び第１溝部ＧＶ１）は、図５中の範囲Ａ６に設けられる。具体的には、第１ネック部ＮＰ１（及び第１溝部ＧＶ１）は、図５中の範囲Ａ６において、第１棒状導光部３３ａに沿って設けられる。
【００９１】
第１ネック部ＮＰ１（及び第１溝部ＧＶ１）を設ける範囲Ａ６及び第１ネック部ＮＰ１の肉厚Ｔ４は、第１棒状導光部３３ａから板状導光部３４に入光する光の量が当該第１棒状導光部３３ａの後端部ＢＥ３３ａと前端部ＦＥ３３ａの間の各位置（例えば、図１２に示す各位置ｐ１〜ｐ８参照）において概ね均一となるように調整されている。この調整は、例えば、所定のシミュレーションソフトウエアを用いて行うことができる。
【００９２】
次に、第１ネック部ＮＰ１の肉厚Ｔ４について具体的に説明する。
【００９３】
図２５は、図５に示す導光体３０（第１ネック部ＮＰ１）のＦ−Ｆ断面図である。図２６（ａ）は図２５に示す導光体３０のＧ−Ｇ断面図、図２６（ｂ）は図２５に示す導光体３０のＨ−Ｈ断面図である。
【００９４】
図２５に示すように、第１ネック部ＮＰ１の肉厚Ｔ４は、第１棒状導光部３３ａの後端部ＢＥ３３ａ側（図２６（ａ）参照）と前端部ＦＥ３３ａ側（図２６（ｂ）参照）とで異なる。
【００９５】
例えば、第１棒状導光部３３ａの後端部ＢＥ３３ａ側の第１ネック部ＮＰ１の肉厚Ｔ４は２ｍｍである。一方、第１棒状導光部３３ａの前端部ＦＥ３３ａ側の第１ネック部ＮＰ１の肉厚Ｔ４は３．５ｍｍである。そして、第１ネック部ＮＰ１の肉厚Ｔ４は、第１棒状導光部３３ａの後端部ＢＥ３３ａから前端部ＦＥ３３ａに向かうに従って徐々に厚くなる。例えば、第１ネック部ＮＰ１の肉厚Ｔ４は、第１棒状導光部３３ａの後端部ＢＥ３３ａから前端部ＦＥ３３ａに向かうに従って、直線的に徐々に厚くなっている。
【００９６】
このように第１ネック部ＮＰ１の肉厚Ｔ４を調整することで（徐変させることで）、第１棒状導光部３３ａから板状導光部３４に入光する光の量（光量又は強度）を、当該第１棒状導光部３３ａの後端部ＢＥ３３ａと前端部ＦＥ３３ａの間の各位置（例えば、図１２に示す各位置ｐ１〜ｐ８参照）において概ね均一とすることができる。その理由は、次のとおりである。
【００９７】
すなわち、図２６（ａ）に示すように、第１ネック部ＮＰ１の肉厚Ｔ４を薄くした場合、第１ネック部ＮＰ１の肉厚Ｔ４を厚くした場合（図２６（ｂ）参照）と比べ、第１棒状導光部３３ａ内を導光される第１光源２１ａからの光Ｒａｙ１を内面反射して再び第１棒状導光部３３ａ内に戻す領域（図２６（ａ）中の符号Ａ１３が示す領域参照）が増える。つまり、第１ネック部ＮＰ１の肉厚Ｔ４を薄くした場合、より遠方まで光を導光させることができる。
【００９８】
別言すると、第１ネック部ＮＰ１の肉厚Ｔ４を薄くした場合（図２６（ａ）参照）、第１ネック部ＮＰ１の肉厚Ｔ４を厚くした場合（図２６（ｂ）参照）と比べ、第１棒状導光部３３ａから板状導光部３４に入光する光Ｒａｙ１が減る（図２６（ａ）中の光Ｒａｙ１を表す矢印参照）。逆に、第１ネック部ＮＰ１の肉厚Ｔ４を厚くした場合（図２６（ｂ）参照）、第１ネック部ＮＰ１の肉厚Ｔ４を薄くした場合（図２６（ａ）参照）と比べ、第１棒状導光部３３ａから板状導光部３４に入光する光Ｒａｙ１が増える（図２６（ｂ）中の光Ｒａｙ１を表す矢印参照）。
【００９９】
したがって、第１ネック部ＮＰ１の肉厚Ｔ４を調整することで、第１棒状導光部３３ａから板状導光部３４に入光する光の量（光量又は強度）を制御することができる。
【０１００】
そのため、第１ネック部ＮＰ１の肉厚Ｔ４を適切に徐変させることで、第１棒状導光部３３ａから板状導光部３４に入光する光の量（光量又は強度）を、当該第１棒状導光部３３ａの後端部ＢＥ３３ａと前端部ＦＥ３３ａの間の各位置（例えば、図１２に示す各位置ｐ１〜ｐ８参照）において概ね均一とすることができる。
【０１０１】
図１０に示すように、第２ネック部ＮＰ２は、板状導光部３４の他端縁部ＥＧ２の表面ＦＳ３４に第２溝部ＧＶ２を形成することで形成される肉薄部で、第２棒状導光部３３ｂから板状導光部３４に入光する光の量を調整するために設けられる。第２ネック部ＮＰ２（及び第２溝部ＧＶ２）は、図５中の範囲Ａ７に設けられる。具体的には、第２ネック部ＮＰ２（及び第２溝部ＧＶ２）は、図５中の範囲Ａ７において、第２棒状導光部３３ｂに沿って設けられる。
【０１０２】
第２ネック部ＮＰ２（及び第２溝部ＧＶ２）を設ける範囲Ａ７及び第２ネック部ＮＰ２の肉厚Ｔ５は、第２棒状導光部３３ｂから板状導光部３４に入光する光の量が当該第２棒状導光部３３ｂの後端部ＢＥ３３ｂと前端部ＦＥ３３ｂの間の各位置（例えば、図１２に示す各位置ｐ９〜ｐ１６参照）において概ね均一となるように調整されている。この調整は、例えば、所定のシミュレーションソフトウエアを用いて行うことができる。
【０１０３】
第２ネック部ＮＰ２の肉厚Ｔ５は、第２棒状導光部３３ｂの後端部ＢＥ３３ｂ側と前端部ＦＥ３３ｂ側とで異なる。
【０１０４】
例えば、第２棒状導光部３３ｂの後端部ＢＥ３３ｂ側の第２ネック部ＮＰ２の肉厚Ｔ５は２ｍｍである。一方、第２棒状導光部３３ｂの前端部ＦＥ３３ｂ側の第２ネック部ＮＰ２の肉厚Ｔ５は３．５ｍｍである。そして、第２ネック部ＮＰ２の肉厚Ｔ５は、第２棒状導光部３３ｂの後端部ＢＥ３３ｂから前端部ＦＥ３３ｂに向かうに従って徐々に厚くなる。例えば、第２ネック部ＮＰ２の肉厚Ｔ５は、第２棒状導光部３３ｂの後端部ＢＥ３３ｂから前端部ＦＥ３３ｂに向かうに従って、直線的に徐々に厚くなっている。
【０１０５】
このように第２ネック部ＮＰ２の肉厚Ｔ５を調整することで（徐変させることで）、第２棒状導光部３３ｂから板状導光部３４に入光する光の量（光量又は強度）を、当該第２棒状導光部３３ｂの後端部ＢＥ３３ｂと前端部ＦＥ３３ｂの間の各位置（例えば、図１２に示す各位置ｐ９〜ｐ１６参照）において概ね均一とすることができる。その理由は、第１ネック部ＮＰ１の肉厚Ｔ４を徐変させる理由と同様であるため、その説明を省略する。
【０１０６】
図１６（ａ）は、図１０に示す第１棒状導光部３３ａ付近の拡大図である。
【０１０７】
図１６（ａ）に示すように、第１棒状導光部３３ａと板状導光部３４の間には、両者を繋ぐ第１徐変部３５ａが設けられる。第１徐変部３５ａは、第１ネック部ＮＰ１の肉厚がＴ４からＴ３（＝３．５ｍｍ）に徐々に変化（増加）する部分で、段差無く滑らかに連続する曲面（徐変面）を含む。第１徐変部３５ａは、図５中の範囲Ａ６に設けられる。
【０１０８】
第１徐変部３５ａは、導光体３０の射出成形の際の型抜き（成形性）を考慮して設けられる。
【０１０９】
図１６（ｂ）は、図１０に示す第２棒状導光部３３ｂ付近の拡大図である。
【０１１０】
図１６（ｂ）に示すように、第２棒状導光部３３ｂと板状導光部３４の間には、両者を繋ぐ第２徐変部３５ｂが設けられる。第２徐変部３５ｂは、第２ネック部ＮＰ２の肉厚がＴ５からＴ３（＝３．５ｍｍ）に徐々に変化（増加）する部分で、段差無く滑らかに連続する曲面（徐変面）を含む。第２徐変部３５ｂは、図５中の範囲Ａ７に設けられる。
【０１１１】
第２徐変部３５ｂは、導光体３０の射出成形の際の型抜き（成形性）を考慮して設けられる。
【０１１２】
次に、ブラケット４０について説明する。
【０１１３】
図４に示すように、ブラケット４０は、完全な円筒ではなく、円筒のうち一部がカットされた半円筒状のブラケットで、環状ブラケット４１を含む。ブラケット４０の材料は、例えば、アクリルやポリカーボネイト等の合成樹脂（例えば、黒色又は黒系の色の不透明樹脂）である。
【０１１４】
ブラケット４０の外周面４２は、例えば、黒色又は黒系の色である。ブラケット４０の外周面４２は、導光体３０の裏面（板状導光部３４の裏面ＲＳ３４）が対向した状態で配置され、導光体３０（板状導光部３４）を通して視認される。
【０１１５】
図３に示すように、環状ブラケット４１には、環状ランプ（例えば、ＤＲＬランプ６３）が固定される。
【０１１６】
次に、第１エクステンション５０について説明する。
【０１１７】
第１エクステンション５０は、主に車両用灯具ユニット１０の意匠性を高める目的で設けられる。図４に示すように、第１エクステンション５０は、完全な円筒ではなく、円筒のうち一部がカットされた半円筒状の装飾部材である。第１エクステンション５０の表面には、アルミ蒸着等の鏡面処理が施されている。第１エクステンション５０の材料は、例えば、アクリルやポリカーボネイト等の合成樹脂である。
【０１１８】
図１、図４に示すように、第１エクステンション５０は、複数のスリット５１を含む。各々のスリット５１は、第１エクステンション５０の外周面と内周面とを貫通しており、かつ、後端部から前端部に向かって（図１中左側から右方向に）延びている。導光体３０の表面（板状導光部３４の表面ＦＳ３４）から出光する光のうち各々のスリット５１を通過した光が前方に照射される。
【０１１９】
次に、第２エクステンション５２について説明する。
【０１２０】
第２エクステンション５２は、主に車両用灯具ユニット１０の意匠性を高める目的で設けられる。
【０１２１】
図１、図４に示すように、第２エクステンション５２は、前方に向かってＶ字状に開いた形状の装飾部材である。第２エクステンション５２の表面には、アルミ蒸着等の鏡面処理が施されている。第２エクステンション５２の材料は、例えば、アクリルやポリカーボネイト等の合成樹脂である。
【０１２２】
上記構成の導光体３０は、図４に示すように、当該導光体３０の裏面（板状導光部３４の裏面ＲＳ３４）とブラケット４０（外周面４２）とが対向し、かつ、当該導光体３０の表面（板状導光部３４の表面ＦＳ３４）と第１エクステンション５０（内周面）とが対向した状態でブラケット４０と第１エクステンション５０との間に配置される。また、第１エクステンション５０の外側に第２エクステンション５２が配置される。
【０１２３】
上記のように配置された導光体３０、第１エクステンション５０及び第２エクステンション５２は、例えば、各々のフランジ部に挿入されたネジ（図示せず）をブラケット４０にネジ止めすることで、互いに位置決めされた状態で固定される（図１参照）。
【０１２４】
図３に示すように、上記構成の車両用灯具ユニット１０は、ロービーム用灯具ユニット６２の側面を覆った状態で配置される。具体的には、図示しないが、車両用灯具ユニット１０は、ブラケット４０の内周面とロービーム用灯具ユニット６２の側面（図示せず）とが対向した状態、すなわち、車両用灯具ユニット１０がロービーム用灯具ユニット６２の側面を覆った状態で配置される。その際、環状ブラケット４１は、正面視で、ロービーム用灯具ユニット６２の発光領域（例えば、投影レンズ６２ａ）を取り囲んだ状態で配置される（図３参照）。
【０１２５】
また、車両用灯具ユニット１０は、導光体３０（板状導光部３４）が車両正面から視認されるように、図２に示すように、導光体３０（板状導光部３４）の中心軸ＡＸ３０が上面視で車両前後方向に延びる基準軸ＡＸ（Ｘ軸）に対して角度θ１傾斜した状態で配置される。θ１は例えば１１度である。θ１は、ポジションランプに求められる照射範囲（基準軸ＡＸを含む鉛直面に対して左４５度及び右８０度の合計１２５度）をカバーする角度であればよく、１１度に限定されない。
【０１２６】
上記構成の車両用灯具ユニット１０においては、第１光源２１ａ及び第２光源２１ｂを点灯すると、図９（ａ）に示すように、第１光源２１ａからの光Ｒａｙ１が第１入光部３１ａから導光体３０に入光する。その際、第１光源２１ａからの光Ｒａｙ１は、第１入光部３１ａによって光軸ＡＸ３１ａに対して平行な光にコリメートされる。このコリメートされた光Ｒａｙ１は、第１反射面３２ａで内面反射されて、第１棒状導光部３３ａに入光し、第１棒状導光部３３ａ内を当該第１棒状導光部３３ａの前端部ＦＥ３３ａに向けて進行する。
【０１２７】
この第１棒状導光部３３ａ内を進行する光Ｒａｙ１は、図１２に示すように、第１棒状導光部３３ａから板状導光部３４に入光する（図１２中の斜め下向きの各矢印参照）。その際、第１ネック部ＮＰ１（第１肉厚徐変部ＮＰ１）の作用により、第１棒状導光部３３ａから板状導光部３４に入光する光の量が当該第１棒状導光部３３ａの後端部ＢＥ３３ａと前端部ＦＥ３３ａの間の各位置（例えば、図１２に示す各位置ｐ１〜ｐ８参照）において概ね均一となる。
【０１２８】
そして、板状導光部３４に入光した第１棒状導光部３３ａからの光は、板状導光部３４の裏面ＲＳ３４（ドットカットＬＣ２）で内面反射（拡散反射）されて板状導光部３４の表面ＦＳ３４から出射する。その際、板状導光部３４の表面ＦＳ３４から出射する光は、当該表面ＦＳ３４に形成されたシボＥの作用によりさらに拡散される。
【０１２９】
また、図９（ｂ）に示すように、第２光源２１ｂからの光Ｒａｙ２が第２入光部３１ｂから導光体３０に入光する。その際、第２光源２１ｂからの光Ｒａｙ２は、第２入光部３１ｂによって光軸ＡＸ３１ｂに対して平行な光にコリメートされる。このコリメートされた光Ｒａｙ２は、第２反射面３２ｂで内面反射されて、第２棒状導光部３３ｂに入光し、第２棒状導光部３３ｂ内を当該第２棒状導光部３３ｂの前端部ＦＥ３３ｂに向けて進行する。
【０１３０】
この第２棒状導光部３３ｂ内を進行する光Ｒａｙ２は、図１２に示すように、第２棒状導光部３３ｂから板状導光部３４に入光する（図１２中の斜め上向きの各矢印参照）。その際、第２棒状導光部３３ｂ内を進行する光Ｒａｙ２の一部が補正カットＬＣ１で反射されるため、第２棒状導光部３３ｂから板状導光部３４に入光する光の光路（図１２中の斜め上向きの各矢印参照）は、第１棒状導光部３３ａから板状導光部３４に入光する光の光路（図１２中の斜め下向きの各矢印参照）に対して上下対称となる。
【０１３１】
また、第２ネック部ＮＰ２(第２肉厚徐変部ＮＰ２)の作用により、第２棒状導光部３３ｂから板状導光部３４に入光する光の量が当該第２棒状導光部３３ｂの後端部ＢＥ３３ｂと前端部ＦＥ３３ｂの間の各位置（例えば、図１２に示す各位置ｐ９〜ｐ１６参照）において概ね均一となる。
【０１３２】
そして、板状導光部３４に入光した第２棒状導光部３３ｂからの光は、板状導光部３４の裏面ＲＳ３４（ドットカットＬＣ２）で内面反射（拡散反射）されて板状導光部３４の表面ＦＳ３４から出射する。その際、板状導光部３４の表面ＦＳ３４から出射する光は、当該表面ＦＳ３４に形成されたシボＥの作用によりさらに拡散される。
【０１３３】
以上のように板状導光部３４の裏面ＲＳ３４（ドットカットＬＣ２）で内面反射（拡散反射）された光は、板状導光部３４の表面ＦＳ３４から出光する際、当該表面ＦＳ３４のシボＥによってさらに拡散される。
【０１３４】
以上のようにして拡散された光は、第１エクステンション５０に形成された各々のスリット５１を通過して前方に照射される。
【０１３５】
その際、板状導光部３４の表面ＦＳ３４が均一に発光する（均一に発光しているように視認される）。板状導光部３４の表面ＦＳ３４は、第１エクステンション５０に形成された各々のスリット５１を通して視認される。なお、本明細書で言う「均一」とは、厳密な意味での均一に限らない。すなわち、板状導光部３４の表面ＦＳ３４の輝度が部分的に異なっていても、視覚的に均一に発光していると評価できる限り、「均一」である。
【０１３６】
以上のようにしてポジションランプが実現される。
【０１３７】
なお、第１光源２１ａ及び第２光源２１ｂを消灯すると、第１エクステンション５０に形成された各々のスリット５１及び導光体３０（板状導光部３４）を透してブラケット４０の外周面４２（黒色又は黒系の色）が視認される。
【０１３８】
以上説明したように、本実施形態によれば、板状導光部３４が均一に発光する（均一に発光しているように視認される）車両用灯具ユニット１０を提供することができる。
【０１３９】
これは、板状導光部３４の一端縁部ＥＧ１及び他端縁部ＥＧ２が、一端縁部ＥＧ１及び他端縁部ＥＧ２以外の板状導光部３４より肉厚が薄い第１ネック部ＮＰ１及び第２ネック部ＮＰ２（薄肉部）を含むことによるものである（図１０参照）。
【０１４０】
この第１ネック部ＮＰ１及び第２ネック部ＮＰ２を設ける範囲及び第１ネック部ＮＰ１及び第２ネック部ＮＰ２の肉厚Ｔ４、Ｔ５を調整することで、板状導光部３４が均一に発光する（均一に発光しているように視認される）ようにすることができる。
【０１４１】
また、本実施形態によれば、板状導光部３４の裏面ＲＳ３４に形成される構造物としてＶ溝ではなくドットカットＬＣ２を用いているため（図１３参照）、第１棒状導光部３３ａ及び第２棒状導光部３３ｂから板状導光部３４に入光する様々な方向からの光を拡散させて板状導光部３４の表面ＦＳ３４から出射させることができる。
【０１４２】
また、本実施形態によれば、ドットカットＬＣ２がランダムに配置されているため（図１４及び図１５参照）、第１光源２１ａ及び第２光源２１ｂの非点灯時に板状導光部３４を透してモアレが視認されるのを抑制することができる。
【０１４３】
また、本実施形態によれば、板状導光部３４として円筒状レンズ体を用いることで、円筒状レンズ体である板状導光部３４が均一に発光する（均一に発光しているように視認される）車両用灯具ユニットを提供することができる。
【０１４４】
また、本実施形態によれば、第１棒状導光部３３ａ及び第２棒状導光部３３ｂが上下非対称の形状であっても（図１２参照）、補正カットＬＣ１を設けることで、第１棒状導光部３３ａから板状導光部３４に入光する光の光路（図１２中の斜め下向きの各矢印参照）と第２棒状導光部３３ｂから板状導光部３４に入光する光の光路（図１２中の斜め上向きの各矢印参照））とを上下対称とすることができる。その結果、板状導光部３４の上下方向の中間に暗部（ダーク部）が発生するのを抑制することができる。
【０１４５】
また、本実施形態によれば、上面視で車両前後方向（Ｘ軸方向）に延びる基準軸ＡＸに対して所定角度θ１傾斜した状態で車両用灯具ユニット１０（導光体３０等）が配置されているため（図２参照）、車両正面からの視認性が向上する。θ１は、ポジションランプに求められる照射範囲（基準軸ＡＸを含む鉛直面に対して左４５度及び右８０度の合計１２５度）をカバーする角度であればどのような角度であってもよい。なお、中心軸ＡＸ３０は、導光体３０（円筒状レンズ体である板状導光部３４）の中心軸（円筒軸）のことである。
【０１４６】
また、本実施形態によれば、第１光源２１ａ及び第２光源２１ｂの点灯時と非点灯時の明暗比が高い新規見栄えの車両用灯具ユニット１０を実現することができる。
【０１４７】
これは、第１光源２１ａ及び第２光源２１ｂの点灯時に第１エクステンション５０に形成された各々のスリット５１を透して均一に発光する板状導光部３４が視認され、一方、第１光源２１ａ及び第２光源２１ｂの非点灯時に第１エクステンション５０に形成された各々のスリット５１及び板状導光部３４を透してブラケット４０の黒色又は黒系の色の外周面４２が視認されることによるものである。
【０１４８】
また、本実施形態によれば、ロービーム用灯具ユニット６２（本発明の他の車両用灯具ユニットの一例）の側面がエクステンションとしての機能に加えてランプ（例えば、ポジションランプ）としての機能を兼ねる車両用灯具ユニット１０（導光体３０等）で覆われた新規見栄えの車両用灯具（図３参照）を実現することができる。
【０１４９】
次に、変形例について説明する。
【０１５０】
上記実施形態では、本発明の車両用灯具ユニットをポジションランプに適用した例について説明したが、これに限らない。例えば、テールランプ、ストップランプ、バックランプ、サイドマーカーランプ、ターンランプ、ＤＲＬ（Daytime Running Lamps）ランプにも本発明の車両用灯具ユニットを適用してもよい。
【０１５１】
また、上記実施形態では、車両用灯具ユニット１０で側面が覆われる他の車両用灯具ユニットとして、ロービーム用灯具ユニット６２を用いた例について説明したが、これに限らない。例えば、他の車両用灯具ユニットとして、ハイビーム用灯具ユニット６１を用いてもよいし、他の灯具ユニットを用いてもよい。例えば、本発明の車両用灯具ユニットをテールランプに適用する場合、車両用灯具ユニット１０で側面が覆われる他の車両用灯具ユニットとして、ストップランプやバックランプを用いてもよい。
【０１５２】
また、上記実施形態では、ブラケット４０、第１エクステンション５０、第２エクステンション５２を用いた例について説明したが、これに限らない。例えば、ブラケット４０、第１エクステンション５０、第２エクステンション５２の少なくとも一つを省略してもよい。
【０１５３】
また、上記実施形態では、板状導光部３４の曲率半径（曲率）が、後端部ＢＥ３４側と前端部ＦＥ３４側とで異なる例について説明したが、これに限らない。例えば、板状導光部３４の曲率半径（曲率）は、後端部ＢＥ３４側と前端部ＦＥ３４側とで同じであってもよい。
【０１５４】
次に、第１ネック部ＮＰ１（第２ネック部ＮＰ２も同様）の変形例について説明する。
【０１５５】
図２７、図２８は、第１ネック部ＮＰ１の変形例を表す図である。
【０１５６】
上記実施形態では、図２５に示すように、第１ネック部ＮＰ１の肉厚Ｔ４が、第１棒状導光部３３ａの後端部ＢＥ３３ａから前端部ＦＥ３３ａに向かうに従って、直線的に徐々に厚くなっている例について説明したが、これに限らない。例えば、図２７（ａ）に示すように、第１ネック部ＮＰ１の肉厚Ｔ４は、第１棒状導光部３３ａの後端部ＢＥ３３ａから前端部ＦＥ３３ｂに向かうに従って、曲線的に徐々に厚くなってもよい。
【０１５７】
また、上記実施形態では、板状導光部３４の一端縁部ＥＧ１の表面ＦＳ３４に第１溝部ＧＶ１を形成することで第１ネック部ＮＰ１を形成する例について説明したが、これに限らない。例えば、図２７（ｂ）に示すように、板状導光部３４の一端縁部ＥＧ１の裏面ＲＳ３４に第１溝部ＧＶ１を形成することで第１ネック部ＮＰ１を形成してもよい。また、図２８（ａ）に示すように、板状導光部３４の一端縁部ＥＧ１の表面ＦＳ３４及び裏面ＲＳ３４にそれぞれ第１溝部ＧＶ１を形成することで第１ネック部ＮＰ１を形成してもよい。
【０１５８】
なお、第１ネック部ＮＰ１を設ける範囲は、図２８（ａ）に示すように、板状導光部３４の一端縁部ＥＧ１の表面ＦＳ３４と裏面ＲＳ３４で異なる場合もあるし、図２８（ｂ）に示すように、板状導光部３４の一端縁部ＥＧ１の表面ＦＳ３４と裏面ＲＳ３４で同じ場合もある。図２８（ａ）中、第１ネック部ＮＰ１は、板状導光部３４の一端縁部ＥＧ１の表面ＦＳ３４のうち範囲Ａ６に設けられ、かつ、裏面ＲＳ３４のうち範囲Ａ１３に設けられている。図２８（ｂ）中、第１ネック部ＮＰ１は、板状導光部３４の一端縁部ＥＧ１の表面ＦＳ３４及び裏面ＲＳ３４のうち範囲Ａ６に設けられている。
【０１５９】
図２９（ａ）〜図２９（ｃ）は、板状導光部３４の一端縁部ＥＧ１に形成される第１溝部ＧＶ１の他の例である。
【０１６０】
第１溝部ＧＶ１（第２溝部ＧＶ２も同様）は、断面が凹状の溝部（例えば、断面が凹曲線を含む溝部。図２９（ａ）参照）であってもよいし、断面が直線状の溝部（例えば、断面が直線を含む溝部。図２９（ｂ）参照）であってもよいし、断面が凸状の凹部（例えば、断面が凸曲線を含む溝部）であってもよい。
【０１６１】
なお、導光体３０の射出成形の際の型抜き（成形性）を考慮すると、第１溝部ＧＶ１（及び第２溝部ＧＶ２）は、断面が凹状の溝部（図２９（ａ）参照）であるのが望ましい。
【０１６２】
次に、導光体３０の変形例（以下、導光体３０Ａという）について説明する。
【０１６３】
図１７は導光体３０Ａの側面図、図１８は裏面図、図１９は正面図である。図２０は図１７に示す導光体３０ＡのＡ−Ａ断面図である。図２１は、図１７に示す導光体３０ＡのＢ−Ｂ断面図である。
【０１６４】
図１７〜図２１に示すように、導光体３０Ａは、入光部３１Ａと、第１反射面３２Ａａと、第２反射面３２Ａｂと、第１棒状導光部３３Ａａと、第２棒状導光部３３Ａｂと、板状導光部３４Ａと、を含む。導光体３０Ａの材料は、例えば、アクリルやポリカーボネイト等の透明樹脂である。
【０１６５】
まず、入光部３１Ａについて説明する。
【０１６６】
図２１に示すように、入光部３１Ａは、当該入光部３１Ａから導光体３０Ａに入光する光源２１Ａからの光ＲａｙＡをコリメートする入光部で、第１棒状導光部３３Ａａの後端部ＢＥ３３Ａａ近傍の導光体３０Ａの表面ＦＳ３０Ａに配置される（図１７参照）。入光部３１Ａは、光源２１Ａからの光ＲａｙＡをコリメートできればよく、どのような構成であってもよい。入光部３１Ａの光軸ＡＸ３１Ａは、導光体３０Ａの表面ＦＳ３０Ａに概ね直交する方向に延びている。
【０１６７】
次に、光源２１Ａについて説明する。
【０１６８】
図２１に示すように、光源２１Ａは、基板２０Ａに実装される。光源２１Ａは、白色光を発光するＬＥＤ等の半導体発光素子である。光源２１Ａは、発光面ＥＦ２１Ａ（例えば、１ｍｍ角の矩形の発光面）を備える。
【０１６９】
基板２０Ａは、例えば、アルミ等の金属製基板で、光源２１Ａが入光部３１Ａに対して対向した状態で、ネジ止めにより導光体３０Ａに固定される。
【０１７０】
光源２１Ａの光軸ＡＸ２１Ａは、入光部３１Ａの光軸ＡＸ３１Ａと一致している。入光部３１Ａの光軸ＡＸ３１Ａは、発光面ＥＦ２１Ａの中心を通り、かつ、発光面ＥＦ２１Ａに直交する方向に延びている。光源２１Ａは、入光部３１Ａから導光体３０Ａに入光し、第１反射面３２Ａａ及び第２反射面３２Ａｂでそれぞれ内面反射され、第１棒状導光部３３Ａａ内を当該第１棒状導光部３３Ａａの前端部ＦＥ３３Ａａに向けて進行する光Ｒａｙ１Ａ及び第２棒状導光部３３Ａｂ内を当該第１棒状導光部３３Ａａの前端部ＦＥ３３Ａｂに向けて進行する光Ｒａｙ２Ａを発光する。
【０１７１】
次に、第１反射面３２Ａａ及び第２反射面３２Ａｂについて説明する。
【０１７２】
図２１に示すように、第１反射面３２Ａａは、平面反射面で、入光部３１Ａでコリメートされた光源２１Ａからの光ＲａｙＡの光路上に配置される。具体的には、第１反射面３２Ａａは、当該第１反射面３２Ａａで内面反射された光Ｒａｙ１Ａが第１棒状導光部３３Ａａの後端部ＢＥ３３Ａａから当該第１棒状導光部３３Ａａに入光し上向きに進行するように、入光部３１Ａの光軸ＡＸ３１Ａに対して４５度傾斜した姿勢で配置される。
【０１７３】
第２反射面３２Ａｂは、平面反射面で、入光部３１Ａでコリメートされた光源２１Ａからの光Ｒａｙ２Ａの光路上に配置される。具体的には、第２反射面３２Ａｂは、当該第２反射面３２Ａｂで内面反射された光Ｒａｙ２Ａが第２棒状導光部３３Ａｂの後端部ＢＥ３３Ａｂから当該第２棒状導光部３３Ａｂに入光し下向きに進行するように、入光部３１Ａの光軸ＡＸ３１Ａに対して４５度傾斜した姿勢で配置される。
【０１７４】
次に、第１棒状導光部３３Ａａ及び第２棒状導光部３３Ａｂについて説明する。
【０１７５】
図１７に示すように、第１棒状導光部３３Ａａ及び第２棒状導光部３３Ａｂは、並列に配置されている。
【０１７６】
第１棒状導光部３３Ａａは、後端部ＢＥ３３Ａａから前端部ＦＥ３３Ａａに向かって湾曲部ＣＲ１Ａを介して直線状に延びた棒状の導光部である。第１棒状導光部３３Ａａは、第１反射面３２Ａａで内面反射された光源２１Ａからの光Ｒａｙ１Ａを後端部ＢＥ３３Ａａから前端部ＦＥ３３Ａａに向けて導光する。
【０１７７】
第２棒状導光部３３Ａｂは、後端部ＢＥ３３Ａｂから前端部ＦＥ３３Ａｂに向かって湾曲部ＣＲ２Ａを介して直線状に延びた棒状の導光部である。第２棒状導光部３３Ａｂは、第２反射面３２Ａｂで内面反射された光源２１Ａからの光Ｒａｙ２Ａを後端部ＢＥ３３Ａｂから前端部ＦＥ３３Ａｂに向けて導光する。
【０１７８】
図２２は図１７に示す導光体３０ＡのＣ−Ｃ断面図、図２３はＤ−Ｄ断面図である。
【０１７９】
図２２、図２３に示すように、第１棒状導光部３３Ａａ及び第２棒状導光部３３Ａｂの断面は、それぞれ、概ね円形である。第１棒状導光部３３Ａａの肉厚Ｔ１（直径）は、例えば、５ｍｍである。第２棒状導光部３３Ａｂの肉厚Ｔ２（直径）は、例えば、５ｍｍである。
【０１８０】
図２４は、第１棒状導光部３３Ａａ及び第２棒状導光部３３Ａｂから板状導光部３４Ａに入光する光の光路を表す図である。
【０１８１】
図２４に示すように、板状導光部３４Ａには、第１棒状導光部３３Ａａ内を導光される光源２１Ａからの光Ｒａｙ１Ａが入光する（図２４中の斜め下向きの各矢印参照）。なお、図示しないが、板状導光部３４Ａには、第１棒状導光部３３Ａａから斜め下向きの各矢印で示す光以外の様々な方向の光も入光する。
【０１８２】
また、板状導光部３４Ａには、第２棒状導光部３３Ａｂ内を導光される光源２１Ａからの光Ｒａｙ２Ａが入光する（図２４中の斜め上向きの各矢印参照）。なお、図示しないが、板状導光部３４Ａには、第２棒状導光部３３Ａｂから斜め上向きの各矢印で示す光以外の様々な方向の光も入光する。
【０１８３】
なお、第１棒状導光部３３Ａａと第２棒状導光部３３Ａｂとは上下対称の形状であるため（図２４参照）、第１棒状導光部３３Ａａから板状導光部３４Ａに入光する光の光路（図２４中の斜め下向きの各矢印参照）と第２棒状導光部３３Ａｂから板状導光部３４Ａに入光する光の光路（図２４中の斜め上向きの各矢印参照）とが上下対称となる。そのため、本変形例の導光体３０Ａには、補正カットＬＣ１を設けていない。
【０１８４】
次に、板状導光部３４Ａについて説明する。
【０１８５】
図１７に示すように、板状導光部３４Ａは、第１棒状導光部３３Ａａと第２棒状導光部３３Ａｂとの間に配置されている。
【０１８６】
板状導光部３４Ａは、後端部ＢＥ３４Ａから前端部ＦＥ３４Ａに向かって延びた平板状レンズ体である（図１９、図２２、図２３参照）。
【０１８７】
板状導光部３４Ａは、正面側に配置される表面ＦＳ３４Ａと、その反対側の背面側に配置される裏面ＲＳ３４Ａと、を含む。
【０１８８】
板状導光部３４Ａの表面ＦＳ３４Ａには、シボＥが施されている。シボＥは、複数の微小凹凸で、図１７中のハッチング範囲Ａ８に施されている。シボＥは、主に板状導光部３４Ａが均一に発光しているように視認させる目的で設けられる。
【０１８９】
板状導光部３４Ａの裏面ＲＳ３４Ａは、第１棒状導光部３３Ａａ及び第２棒状導光部３３Ａｂそれぞれから板状導光部３４Ａに入光する光源２１Ａからの光を拡散させて板状導光部３４Ａの表面ＦＳ３４Ａから出射させるための複数の構造物ＬＣ２Ａを含む。構造物ＬＣ２Ａは、図１８中のハッチング範囲Ａ９に施されている。
【０１９０】
構造物ＬＣ２Ａは、図１３に示すのと同様のドット状のレンズカットである。以下、構造物ＬＣ２ＡのことをドットカットＬＣ２Ａという。
【０１９１】
ドットカットＬＣ２は、図１４又は図１５に示すのと同様に、ランダムに配置される。これにより、光源２１Ａの非点灯時に板状導光部３４Ａを透してモアレが視認されるのを抑制することができる。
【０１９２】
板状導光部３４Ａの肉厚Ｔ３（基本肉厚。図２２及び図２３参照）は、例えば、３．５ｍｍである。
【０１９３】
図１８に示すように、板状導光部３４Ａは、第１棒状導光部３３Ａａの外周面に連結された一端縁部ＥＧ１Ａと、第２棒状導光部３３Ａｂの外周面に連結された他端縁部ＥＧ２Ａと、を含む。
【０１９４】
板状導光部３４Ａの一端縁部ＥＧ１Ａは、第１肉厚徐変部ＮＰ１Ａを含む。第１肉厚徐変部ＮＰ１Ａは、板状導光部３４Ａの一端縁部ＥＧ１Ａ以外の板状導光部３４Ａ（肉厚Ｔ３）より肉厚が薄い部分のことである。以下、第１肉厚徐変部ＮＰ１Ａのことを、第１ネック部ＮＰ１Ａという。同様に、板状導光部３４Ａの他端縁部ＥＧ２Ａは、第２肉厚徐変部ＮＰ２Ａを含む。第２肉厚徐変部ＮＰ２Ａは、板状導光部３４Ａの他端縁部ＥＧ２Ａ以外の板状導光部３４Ａ（肉厚Ｔ３）より肉厚が薄い部分のことである。以下、第２肉厚徐変部ＮＰ２Ａのことを、第２ネック部ＮＰ２Ａという。
【０１９５】
図２２に示すように、第１ネック部ＮＰ１Ａは、板状導光部３４Ａの一端縁部ＥＧ１Ａの裏面ＲＳ３４Ａに第１溝部ＧＶ１Ａを形成することで形成される肉薄部で、第１棒状導光部３３Ａａから板状導光部３４Ａに入光する光の量を調整するために設けられる。第１ネック部ＮＰ１Ａ（及び第１溝部ＧＶ１Ａ）は、図１８中の範囲Ａ１０に設けられる。具体的には、第１ネック部ＮＰ１Ａ（及び第１溝部ＧＶ１Ａ）は、図１８中の範囲Ａ１０において、第１棒状導光部３３Ａａに沿って設けられる。
【０１９６】
第１ネック部ＮＰ１Ａ（及び第１溝部ＧＶ１Ａ）を設ける範囲Ａ１０及び第１ネック部ＮＰ１Ａの肉厚Ｔ４は、第１棒状導光部３３Ａａから板状導光部３４Ａに入光する光の量が当該第１棒状導光部３３Ａａの後端部ＢＥ３３Ａａと前端部ＦＥ３３Ａａの間の各位置において概ね均一となるように調整されている。この調整は、例えば、所定のシミュレーションソフトウエアを用いて行うことができる。
【０１９７】
第１ネック部ＮＰ１Ａの肉厚Ｔ４は、第１棒状導光部３３Ａａの後端部ＢＥ３３Ａａ側と前端部ＦＥ３３Ａａ側とで異なる。
【０１９８】
例えば、第１棒状導光部３３Ａａの後端部ＢＥ３３Ａａ側の第１ネック部ＮＰ１Ａの肉厚Ｔ４は２ｍｍである。一方、第１棒状導光部３３Ａａの前端部ＦＥ３３Ａａ側の第１ネック部ＮＰ２Ａの肉厚Ｔ４は３．５ｍｍである。そして、第１ネック部ＮＰ１Ａの肉厚Ｔ４は、第１棒状導光部３３Ａａの後端部ＢＥ３３Ａａから前端部ＦＥ３３Ａａに向かうに従って徐々に厚くなる。例えば、第１ネック部ＮＰ１Ａの肉厚Ｔ４は、第１棒状導光部３３Ａａの後端部ＢＥ３３Ａａから前端部ＦＥ３３Ａａに向かうに従って、直線的に徐々に厚くなっている。
【０１９９】
このように第１ネック部ＮＰ１Ａの肉厚Ｔ４を調整することで（徐変させることで）、第１棒状導光部３３Ａａから板状導光部３４Ａに入光する光の量（光量又は強度）を、当該第１棒状導光部３３Ａａの後端部ＢＥ３３Ａａと前端部ＦＥ３３Ａａの間の各位置において概ね均一とすることができる。その理由は、上記実施形態の第１ネック部ＮＰ１の肉厚Ｔ４を徐変させる理由と同様であるため、その説明を省略する。
【０２００】
図２２に示すように、第２ネック部ＮＰ２Ａは、板状導光部３４Ａの他端縁部ＥＧ２Ａの裏面ＲＳ３４Ａに第２溝部ＧＶ２Ａを形成することで形成される肉薄部で、第２棒状導光部３３Ａｂから板状導光部３４Ａに入光する光の量を調整するために設けられる。第２ネック部ＮＰ２Ａ（及び第２溝部ＧＶ２Ａ）は、図１８中の範囲Ａ１１に設けられる。具体的には、第２ネック部ＮＰ２Ａ（及び第２溝部ＧＶ２Ａ）は、図１８中の範囲Ａ１１において、第２棒状導光部３３Ａｂに沿って設けられる。
【０２０１】
第２ネック部ＮＰ２Ａ（及び第２溝部ＧＶ２Ａ）を設ける範囲Ａ１１及び第２ネック部ＮＰ２Ａの肉厚Ｔ５は、第２棒状導光部３３Ａｂから板状導光部３４Ａに入光する光の量が当該第２棒状導光部３３Ａｂの後端部ＢＥ３３Ａｂと前端部ＦＥ３３Ａｂの間の各位置において概ね均一となるように調整されている。この調整は、例えば、所定のシミュレーションソフトウエアを用いて行うことができる。
【０２０２】
第２ネック部ＮＰ２Ａの肉厚Ｔ５は、第２棒状導光部３３Ａｂの後端部ＢＥ３３Ａｂ側と前端部ＦＥ３３ａ側とで異なる。
【０２０３】
例えば、第２棒状導光部３３Ａｂの後端部ＢＥ３３Ａｂ側の第２ネック部ＮＰ２Ａの肉厚Ｔ５は２ｍｍである。一方、第２棒状導光部３３Ａｂの前端部ＦＥ３３Ａｂ側の第２ネック部ＮＰ２Ａの肉厚Ｔ５は３．５ｍｍである。そして、第２ネック部ＮＰ２Ａの肉厚Ｔ５は、第２棒状導光部３３Ａｂの後端部ＢＥ３３Ａｂから前端部ＦＥ３３Ａｂに向かうに従って徐々に厚くなる。例えば、第２ネック部ＮＰ２Ａの肉厚Ｔ５は、第２棒状導光部３３Ａｂの後端部ＢＥ３３Ａｂから前端部ＦＥ３３Ａｂに向かうに従って、直線的に徐々に厚くなっている。
【０２０４】
このように第２ネック部ＮＰ２Ａの肉厚Ｔ５を調整することで（徐変させることで）、第２棒状導光部３３Ａｂから板状導光部３４Ａに入光する光の量（光量又は強度）を、当該第２棒状導光部３３Ａｂの後端部ＢＥ３３Ａｂと前端部ＦＥ３３Ａｂの間の各位置において概ね均一とすることができる。その理由は、上記実施形態の第１ネック部ＮＰ１の肉厚Ｔ４を徐変させる理由と同様であるため、その説明を省略する。
【０２０５】
本変形例の導光体３０Ａによっても上記実施形態と同様の効果を奏することができる。
【０２０６】
上記各実施形態で示した各数値は全て例示であり、これと異なる適宜の数値を用いることができるのは無論である。
【０２０７】
上記各実施形態はあらゆる点で単なる例示にすぎない。上記各実施形態の記載によって本発明は限定的に解釈されるものではない。本発明はその精神または主要な特徴から逸脱することなく他の様々な形で実施することができる。
【符号の説明】
【０２０８】
１０…車両用灯具ユニット、２０…基板、２０Ａ…基板、２１Ａ…光源、２１ａ…第１光源、２１ｂ…第２光源、３０…導光体、３０Ａ…導光体、３１Ａ…入光部、３１ａ…第１入光部、３１ｂ…第２入光部、３２Ａａ…第１反射面、３２Ａｂ…第２反射面、３２ａ…第１反射面、３２ｂ…第２反射面、３３Ａａ…第１棒状導光部、３３Ａｂ…第２棒状導光部、３３ａ…第１棒状導光部、３３ｂ…第２棒状導光部、３４…板状導光部、３４Ａ…板状導光部、３５Ａａ…第１徐変部、３５Ａｂ…第２徐変部、３５ａ…第１徐変部、３５ｂ…第２徐変部、４０…ブラケット、４１…環状ブラケット、４２…外周面、５０…第１エクステンション、５１…スリット、５２…第２エクステンション、Ｅ…シボ、ＬＣ１…補正カット、ＬＣ２、ＬＣ２Ａ…ドットカット、ＮＰ１、ＮＰ１Ａ…第１ネック部、ＮＰ２、ＮＰ２Ａ…第２ネック部
【図１】
2020155389.tif 000003
【図２】
2020155389.tif 000004
【図３】
2020155389.tif 000005
【図４】
2020155389.tif 000006
【図５】
2020155389.tif 000007
【図６】
2020155389.tif 000008
【図７】
2020155389.tif 000009
【図８】
2020155389.tif 000010
【図９】
2020155389.tif 000011
【図１０】
2020155389.tif 000012
【図１１】
2020155389.tif 000013
【図１２】
2020155389.tif 000014
【図１３】
2020155389.tif 000015
【図１４】
2020155389.tif 000016
【図１５】
2020155389.tif 000017
【図１６】
2020155389.tif 000018
【図１７】
2020155389.tif 000019
【図１８】
2020155389.tif 000020
【図１９】
2020155389.tif 000021
【図２０】
2020155389.tif 000022
【図２１】
2020155389.tif 000023
【図２２】
2020155389.tif 000024
【図２３】
2020155389.tif 000025
【図２４】
2020155389.tif 000026
【図２５】
2020155389.tif 000027
【図２６】
2020155389.tif 000028
【図２７】
2020155389.tif 000029
【図２８】
2020155389.tif 000030
【図２９】
2020155389.tif 000031
【図３０】
2020155389.tif 000032